(57)【要約】【課題】  本発明は、珈琲、紅茶、ココア、またはその他の飲料を、攪拌するための飲料攪拌器で、意匠性に富んだ飲料攪拌器を提供することを課題とする。【解決手段】  把持部３４とこれに連続する飲料攪拌部３３を設け、前記飲料攪拌部３３の断面形状を、平坦な形状、膨らみを持った形状、凹凸を持った形状、またはその他の立体的な形状、とするとともに、前記飲料攪拌部３３の平面形状または立体形状を、星形の形状、ハート形の形状、スペード形の形状、ダイヤ形の形状、クローバー形の形状、またはその他のマーク形の形状、または、キャラクターを模した形状、動物を模した形状、人物を模した形状、植物を模した形状、魚貝類を模した形状、食品を模した形状、乗り物を模した形状、建物を模した形状、機械器具を模した形状、またはその他の物体を模した形状とすることを特徴とする、飲料攪拌器３２を提供することで、課題を解決した。【選択図】図５
2009142618.tif 000002
【特許請求の範囲】
【請求項１】
珈琲、紅茶、ココア、またはその他の飲料を、攪拌するための飲料攪拌器であって、把持部とこれに連続する飲料攪拌部を設け、前記飲料攪拌部の断面形状を、平坦な形状、膨らみを持った形状、凹凸を持った形状、またはその他の立体的な形状、とするとともに、前記飲料攪拌部の平面形状または立体形状を、星形の形状、ハート形の形状、スペード形の形状、ダイヤ形の形状、クローバー形の形状、またはその他のマーク形の形状、または、キャラクターを模した形状、動物を模した形状、人物を模した形状、植物を模した形状、魚貝類を模した形状、食品を模した形状、乗り物を模した形状、建物を模した形状、機械器具を模した形状、またはその他の物体を模した形状とすることを特徴とする、飲料攪拌器。
【発明の詳細な説明】
【技術分野】
【０００１】  本発明は、珈琲、紅茶、ココア、またはその他の飲料を、攪拌するための飲料攪拌器で、意匠性に富んだ飲料攪拌器に関する。
【背景技術】
【０００２】  従来の飲料を攪拌するための器具には、把持部とこれに連続する掬い部を設けた、飲料用スプーンがある。【０００３】  以下、図６、図７により、従来の飲料用スプーンについて説明する。図において、６４は把持部で、６３はこれに連続する掬い部である。図のように、従来の飲料用スプーンの掬い部６３は、飲料を攪拌するためのみでなく、砂糖や飲料を掬うことができるように、断面形状が湾曲した形状で、平面形状が長円形の形状となっている。
【発明の開示】
【発明が解決しようとする課題】
【０００４】  以上に述べた、飲料を攪拌するための器具として、従来の飲料用スプーンを使用する場合、飲料用スプーンでは、掬い部６３を、飲料を攪拌するための機能のみでなく、砂糖や飲料を掬うことができる機能を持たせるために、断面形状が湾曲した形状で、平面形状が長円形の形状をした、画一的な形状で、意匠性が乏しい問題があった。【０００５】  本発明は、このような従来の構成が有していた問題を解決しようとするものであり、意匠性に富んだ飲料攪拌器を実現することを目的とするものである。
【課題を解決するための手段】
【０００６】  そして、本発明は上記目的を達成するために、把持部とこれに連続する飲料攪拌部を設け、前記飲料攪拌部の断面形状を、平坦な形状、膨らみを持った形状、凹凸を持った形状、またはその他の立体的な形状、とするとともに、前記飲料攪拌部の平面形状または立体形状を、星形の形状、ハート形の形状、スペード形の形状、ダイヤ形の形状、クローバー形の形状、またはその他のマーク形の形状、または、キャラクターを模した形状、動物を模した形状、人物を模した形状、植物を模した形状、魚貝類を模した形状、食品を模した形状、乗り物を模した形状、建物を模した形状、機械器具を模した形状、またはその他の物体を模した形状とすることを特徴とする、飲料攪拌器である。【０００７】  上記の課題解決手段による作用は次の通りである。すなわち、珈琲、紅茶、ココア、またはその他の飲料を、喫茶する時には、従来の飲料用スプーンのような、砂糖や飲料を掬う機能は必要なく、飲料を攪拌する機能のみでよい場合が多い。例えば、砂糖は、砂糖入れに専用スプーンが添えられているか、または紙袋に入っている場合が多く、飲料用スプーンで砂糖を掬う必要は無い場合が多い。また飲料は、飲料カップに直接口を付けて飲む場合が多く、飲料用スプーンで飲料を掬う必要は無い場合が多い。【０００８】  しかるに、飲料用スプーンでは、掬い部を、飲料を攪拌するための機能のみでなく、砂糖や飲料を掬うことができる機能を持たせるために、断面形状が湾曲した形状で、平面形状が長円形の形状をした、画一的な形状で、意匠性が乏しい問題があった。【０００９】  そこで、本発明は、飲料を攪拌するための器具として、従来の掬い部を備えた飲料用スプーンではなく、砂糖や飲料を掬う機能は考慮しない飲料攪拌器とすることで、飲料攪拌部は、平坦な形状、膨らみを持った形状、またはその他の立体的な形状、とするとともに、平面形状または立体形状を、種々の形状とすることができるようになり、意匠性に富んだ飲料攪拌器を構成することができる。
【発明の効果】
【００１０】  上述したように本発明の構成による飲料攪拌器では、珈琲、紅茶、ココア、またはその他の飲料を、喫茶する時の、意匠性を持たせた飲料攪拌器を提供できる。
【発明を実施するための最良の形態】
【００１１】  以下、本発明の実施の形態を図１〜図５に基づいて説明する。【００１２】  図１は、請求項１記載の飲料攪拌器の一例を図示したものであり、飲料攪拌部２３の断面形状を平坦な形状として、平面形状を星形にした飲料攪拌器の一例の斜視図である。
図２は、その断面状態を示す側面図である。【００１３】  図３は、請求項１記載の飲料攪拌器の一例を図示したものであり、飲料攪拌部３３の断面形状を膨らみを持った形状として、平面形状を星形にした飲料攪拌器の一例の斜視図である。
図４は、その断面状態を示す側面図である【００１４】  図５は、図３に示される飲料攪拌器を飲料カップに添えて置いた一例の斜視図である。【００１５】  請求項１記載の飲料攪拌部の形状については、本実施例の図に示す飲料攪拌部の形状は例でありこれに限定されるものではなく、前記飲料攪拌部の断面形状を、平坦な形状、膨らみを持った形状、凹凸を持った形状、またはその他の立体的な形状、とするとともに、前記飲料攪拌部の平面形状または立体形状を、星形の形状、ハート形の形状、スペード形の形状、ダイヤ形の形状、クローバー形の形状、またはその他のマーク形の形状、または、キャラクターを模した形状、動物を模した形状、人物を模した形状、植物を模した形状、魚貝類を模した形状、食品を模した形状、乗り物を模した形状、建物を模した形状、機械器具を模した形状、またはその他の物体を模した形状とすることで、意匠性に富んだ形状とすることができる。【００１６】  また、請求項１記載の飲料攪拌部および把持部の形状については、本実施例の図に示す飲料攪拌部および把持部の形状は例でありこれに限定されるものではなく、前記飲料攪拌部および把持部を含めて、前記の種々の形状とすることができる。
【図面の簡単な説明】
【００１７】
【図１】  本発明の実施形態を示す飲料攪拌器の一例の斜視図
【図２】  図１に示される飲料攪拌器の断面状態を示す側面図
【図３】  本発明の実施形態を示す飲料攪拌器の一例の斜視図
【図４】  図３に示される飲料攪拌器の断面状態を示す側面図
【図５】  図３に示される飲料攪拌器を飲料カップに添えて置いた一例の斜視図
【図６】  従来の飲料用スプーンの平面図
【図７】  図６に示される飲料用スプーンの断面図
【符号の説明】
【００１８】    ２２  飲料攪拌器本体
２３  飲料攪拌部
２４  把持部
３２  飲料攪拌器本体
３３  飲料攪拌部
３４  把持部
５２  飲料カップ
５３  皿
６２  飲料用スプーン本体
６３  掬い部
６４  把持部
【図１】
2009142618.tif 000003
【図２】
2009142618.tif 000004
【図３】
2009142618.tif 000005
【図４】
2009142618.tif 000006
【図５】
2009142618.tif 000007
【図６】
2009142618.tif 000008
【図７】
2009142618.tif 000009